(57)【要約】      （修正有）【課題】撮像装置において、表示画面の領域ごとの撮像条件を容易に設定可能とする。【解決手段】撮像装置１において、撮像部３２は、撮像面の複数の領域の撮像条件を設定可能に構成された撮像素子１００により被写体像を撮像する。制御部３５は、撮像部３２により撮像された画像から検出された被写体要素に基づいて、領域ごとに変更する撮像条件を決定する。【選択図】図１
2020043582.tif 000002
【特許請求の範囲】
【請求項１】
撮像素子の第１撮像領域で撮像される被写体の画像を複数表示する表示部と、
前記表示部に表示された前記複数の画像から選択された画像を用いて、前記第１撮像領域の撮像条件が、前記撮像素子の第２撮像領域の撮像条件とは異なる撮像条件となるように前記撮像素子を制御する制御部と、
を備える電子機器。
【請求項２】
請求項１に記載の電子機器において、
前記制御部は、前記第１撮像領域で撮像された被写体と前記撮像素子に設定されている撮像モードとに基づいて前記第１撮像領域の撮像条件を決定する電子機器。
【請求項３】
請求項１または請求項２に記載の電子機器において、
前記制御部で決定された前記第１撮像領域の撮像条件を変更した候補画像を生成する画像処理部を備える電子機器。
【請求項４】
請求項３に記載の電子機器において、
前記画像処理部は、前記第１撮像領域の撮像条件を段階的に変更した複数の前記候補画像を生成する電子機器。
【請求項５】
請求項３または請求項４に記載の電子機器において、
前記撮像条件は、輝度または彩度の少なくともどちらか一方であり、
前記画像処理部は、前記輝度または前記彩度を段階的に変更した複数の前記候補画像を生成する電子機器。
【請求項６】
請求項３から請求項５のいずれか一項に記載の電子機器において、
前記画像処理部は、前記第１撮像領域の撮像条件を変更する前の画像を基準画像として生成するとともに、前記第１撮像領域の撮像条件を変更した後の前記候補画像を生成する電子機器。
【請求項７】
請求項６に記載の電子機器において、
前記画像処理部は、前記基準画像と、前記基準画像に対して輝度が異なる画像を生成する電子機器。
【請求項８】
請求項６または請求項７に記載の電子機器において、
前記画像処理部は、前記基準画像と、前記基準画像に対して彩度が異なる画像を生成する電子機器。
【請求項９】
請求項１から請求項８のいずれか一項に記載の電子機器において、
前記第１撮像領域は、光を電荷に変換する光電変換部が配置される電子機器。
【請求項１０】
請求項９に記載の電子機器において、
前記第１撮像領域は、前記光電変換部が第１方向と前記第１方向と交差する第２方向とにおいて複数配置される電子機器。
【発明の詳細な説明】
【技術分野】
【０００１】
本発明は、電子機器に関する。
【背景技術】
【０００２】
画面の領域ごとに撮像条件を設定可能なイメージセンサを搭載した撮像装置が知られている（特許文献１参照）。
【先行技術文献】
【特許文献】
【０００３】
【特許文献１】特開２００６−４９３６１号公報
【発明の概要】
【発明が解決しようとする課題】
【０００４】
従来技術では、領域ごとの撮像条件を設定しにくいという問題があった。
【課題を解決するための手段】
【０００５】
発明の一態様による電子機器は、撮像素子の第１撮像領域で撮像される被写体の画像を複数表示する表示部と、前記表示部に表示された前記複数の画像から選択された画像を用いて、前記第１撮像領域の撮像条件が、前記撮像素子の第２撮像領域の撮像条件とは異なる撮像条件となるように前記撮像素子を制御する制御部と、を備える。
【図面の簡単な説明】
【０００６】
【図１】一実施の形態によるカメラの構成を例示するブロック図である。
【図２】積層型撮像素子の断面図である。
【図３】撮像チップの画素配列と単位領域を説明する図である。
【図４】単位領域における回路を説明する図である。
【図５】図４の回路に対応する撮像素子の機能的構成を示すブロック図である。
【図６】カメラの撮像素子に結像される被写体の像を模式的に示す図である。
【図７】撮像条件の設定画面を例示する図である。
【図８】撮像条件の設定画面を例示する図である。
【図９】候補画像を並べて表示する表示画面を例示する図である。
【図１０】候補画像を並べて表示する表示画面を例示する図である。
【図１１】候補画像を並べて表示する表示画面を例示する図である。
【図１２】候補画像を並べて表示する表示画面を例示する図である。
【図１３】候補画像を並べて表示する表示画面を例示する図である。
【図１４】領域ごとに撮像条件を設定して撮像する処理の流れを説明するフローチャートである。
【図１５】変形例１による表示画面を例示する図である。
【図１６】変形例１による表示画面を例示する図である。
【図１７】変形例２による表示画面を例示する図である。
【図１８】変形例２による表示画面を例示する図である。
【図１９】変形例５による撮像システムの構成を例示するブロック図である。
【図２０】モバイル機器へのプログラムの供給を説明する図である。
【発明を実施するための形態】
【０００７】
＜カメラの説明＞
図１は、一実施の形態による電子機器（例えば、カメラ１）の構成を例示するブロック図である。図１において、カメラ１は、撮像光学系３１と、撮像部３２と、画像処理部３３と、ワークメモリ３４と、制御部３５と、液晶モニタ３６と、操作部材３７と、不揮発性メモリ３８と、記録部３９と、発光装置４０とを有する。
【０００８】
撮像光学系３１は、被写界からの光束を撮像部３２へ導く。撮像部３２は、撮像素子１００および駆動部３２ａを含み、撮像光学系３１によって結像された被写体の像を光電変換する。撮像部３２は、撮像素子１００における撮像面の全域において同じ条件で撮像したり、撮像素子１００における撮像面の領域ごとに異なる条件で撮像したりすることができる。撮像部３２の詳細については後述する。駆動部３２ａは、撮像素子１００に蓄積制御を行わせるために必要な駆動信号を生成する。撮像部３２に対する電荷蓄積時間などの撮像指示は、制御部３５から駆動部３２ａへ送信される。
【０００９】
画像処理部３３は、ワークメモリ３４と協働して撮像部３２で撮像された画像データに対する画像処理を行う。画像処理には、例えば、輪郭強調処理、ガンマ補正、ホワイトバランス調整、表示輝度調整、彩度調整等が含まれる。画像処理部３３は、後述するように、画像の全域に対して同じパラメータ等を適用して画像処理をしたり、画像の領域ごとに異なるパラメータ等を適用して画像処理をしたりすることができる。
【００１０】
ワークメモリ３４は、画像処理前や後の画像データなどが一時的に記録されるメモリである。制御部３５は、例えばＣＰＵによって構成され、カメラ１による全体の動作を制御する。例えば、撮像部３２で取得された画像信号に基づいて所定の露出演算を行い、適正露出に必要な撮像素子１００の電荷蓄積時間（露光時間）、撮像光学系３１の絞り値、ＩＳＯ感度等の露出条件を決定して駆動部３２ａへ指示する。また、カメラ１に設定されている撮像シーンモードや、検出した被写体要素の種類に応じて、彩度、コントラスト、シャープネス等を調整する画像処理条件を決定して画像処理部３３へ指示する。被写体要素の検出については後述する。さらにまた、発光装置４０の発光を許可する設定が行われている場合には、適正露出に必要な発光装置４０の発光量を決定して発光装置４０へ指示する。
【００１１】
制御部３５には、物体検出部３５ａと、領域区分け部３５ｂと、設定部３５ｃと、撮像条件設定部３５ｄと、撮像制御部３５ｅと、ＡＦ演算部３５ｆと、表示制御部３５ｇとが含まれる。これらは、制御部３５が不揮発性メモリ３８に格納されているプログラムを実行することにより、ソフトウェア的に実現されるが、これらをＡＳＩＣ等により構成しても構わない。
【００１２】
物体検出部３５ａは、公知の物体認識処理を行うことにより、撮像部３２によって取得された画像から、人物（人物の顔）、犬、猫などの動物（動物の顔）、植物、自転車、自動車、電車などの乗物、建造物、静止物、山、雲などの風景、あらかじめ定められた特定の物体などの、被写体要素を検出する。
【００１３】
領域区分け部３５ｂは、撮像部３２による撮像画面を、上述のように検出した被写体要素を含む複数の領域に分割（区分け）する。設定部３５ｃは、領域区分け部３５ｂによって区分けされた複数の領域に序列をつける。序列の付け方については後述する。
【００１４】
撮像条件設定部３５ｄは、領域区分け部３５ｂによって区分けされた複数の領域に対して撮像条件を設定する。撮像条件は、上記露出条件（電荷蓄積時間、ゲイン、ＩＳＯ感度、フレームレート等）と、上記画像処理条件（例えば、ホワイトバランス調整用パラメータ、ガンマ補正カーブ、表示輝度調整パラメータ、彩度調整パラメータ等）とを含む。なお、撮像条件は、複数の領域の全てに同じ撮像条件を設定することも、複数の領域間で異なる撮像条件を設定することも可能である。
【００１５】
撮像制御部３５ｅは、撮像条件設定部３５ｄによって上記領域ごとに設定された撮像条件を適用して撮像部３２（撮像素子１００）および画像処理部３３を制御する。これにより、撮像部３２に対しては、領域区分け部３５ｂによって区分けされた複数の領域ごとに異なる露出条件で撮像を行わせることが可能であり、画像処理部３３に対しては、領域区分け部３５ｂによって区分けされた複数の領域ごとに異なる画像処理条件で画像処理を行わせることが可能である。
【００１６】
ＡＦ演算部３５ｆは、撮像画面の所定の位置（フォーカスポイントと呼ぶ）で、対応する被写体に対してフォーカスを合わせる自動焦点調節（オートフォーカス：ＡＦ）演算を行う。ＡＦ演算部３５ｆは、ＡＦ演算結果に基づいて、撮像光学系３１のフォーカスレンズを合焦位置へ移動させるための駆動信号を送る。
なお、ＡＦ方式は、コントラスト検出方式でも、位相差検出方式でも構わない。
【００１７】
表示制御部３５ｇは、液晶モニタ３６に表示させる画像の表示を制御する。表示制御部３５ｇは、例えば、液晶モニタ３６の表示面に一つの画像を表示させたり、液晶モニタ３６の表示面に複数の画像を並べて表示させたりする。また、表示制御部３５ｇは、ユーザーの操作に応じて、液晶モニタ３６の表示面に表示中の画像をスクロール表示させる。
【００１８】
液晶モニタ３６は、画像処理部３３によって画像処理された画像や、記録部３９によって読み出された画像を再生表示する。液晶モニタ３６は、操作メニュー画面や、撮像条件を設定するための設定画面等の表示も行う。
【００１９】
操作部材３７は、レリーズボタンやメニューボタン等の種々の操作部材によって構成される。操作部材３７は、各操作に対応する操作信号を制御部３５へ送出する。操作部材３７には、液晶モニタ３６の表示面に設けられたタッチ操作部材も含まれる。
【００２０】
不揮発性メモリ３８は、制御部３５が実行するプログラム等を記録する。記録部３９は、制御部３５からの指示に応じて、不図示のメモリカードなどで構成される記録媒体に画像データなどを記録する。また、記録部３９は、制御部３５からの指示に応じて記録媒体に記録されている画像データを読み出す。
【００２１】
発光装置４０は被写体を照明する撮影補助光源である。発光装置４０は、例えば発光許可設定されている場合において、制御部３５からの発光指示に応じて制御部３５から指示された光量で発光する。
【００２２】
＜積層型撮像素子の説明＞
上述したカメラ１に備わる積層型撮像素子１００について説明する。なお、この積層型撮像素子１００は、本願出願人が先に出願し公開された国際公開ＷＯ１３／１６４９１５号に記載されているものである。図２は、積層型撮像素子１００の断面図である。撮像素子１００は、入射光に対応した画素信号を出力する裏面照射型撮像チップ１１３と、画素信号を処理する信号処理チップ１１１と、画素信号を記録するメモリチップ１１２とを備える。これら撮像チップ１１３、信号処理チップ１１１およびメモリチップ１１２は積層されており、Ｃｕ等の導電性を有するバンプ１０９により互いに電気的に接続される。
【００２３】
なお、図示するように、入射光は主に白抜き矢印で示すＺ軸プラス方向へ向かって入射する。本実施形態においては、撮像チップ１１３において、入射光が入射する側の面を裏面（撮像面）と称する。また、座標軸に示すように、Ｚ軸に直交する紙面左方向をＸ軸プラス方向、Ｚ軸およびＸ軸に直交する紙面手前方向をＹ軸プラス方向とする。以降のいくつかの図においては、図２の座標軸を基準として、それぞれの図の向きがわかるように座標軸を表示する。
【００２４】
撮像チップ１１３の一例は、裏面照射型のＭＯＳイメージセンサである。ＰＤ層１０６は、配線層１０８の裏面側に配されている。ＰＤ層１０６は、二次元的に配され、入射光に応じた電荷を蓄積する複数のＰＤ（フォトダイオード）１０４、および、ＰＤ１０４に対応して設けられたトランジスタ１０５を有する。
【００２５】
ＰＤ層１０６における入射光の入射側にはパッシベーション膜１０３を介してカラーフィルタ１０２が設けられる。カラーフィルタ１０２は、互いに異なる波長領域を透過する複数の種類を有しており、ＰＤ１０４のそれぞれに対応して特定の配列を有している。カラーフィルタ１０２の配列については後述する。カラーフィルタ１０２、ＰＤ１０４およびトランジスタ１０５の組が、一つの画素を形成する。
【００２６】
カラーフィルタ１０２における入射光の入射側には、それぞれの画素に対応して、マイクロレンズ１０１が設けられる。マイクロレンズ１０１は、対応するＰＤ１０４へ向けて入射光を集光する。
【００２７】
配線層１０８は、ＰＤ層１０６からの画素信号を信号処理チップ１１１に伝送する配線１０７を有する。配線１０７は多層であってもよく、また、受動素子および能動素子が設けられてもよい。
【００２８】
配線層１０８の表面には複数のバンプ１０９が配される。当該複数のバンプ１０９が信号処理チップ１１１の対向する面に設けられた複数のバンプ１０９と位置合わせされて、撮像チップ１１３と信号処理チップ１１１とが加圧等されることにより、位置合わせされたバンプ１０９同士が接合されて、電気的に接続される。
【００２９】
同様に、信号処理チップ１１１およびメモリチップ１１２の互いに対向する面には、複数のバンプ１０９が配される。これらのバンプ１０９が互いに位置合わせされて、信号処理チップ１１１とメモリチップ１１２とが加圧等されることにより、位置合わせされたバンプ１０９同士が接合されて、電気的に接続される。
【００３０】
なお、バンプ１０９間の接合には、固相拡散によるＣｕバンプ接合に限らず、はんだ溶融によるマイクロバンプ結合を採用してもよい。また、バンプ１０９は、例えば後述する一つのブロックに対して一つ程度設ければよい。したがって、バンプ１０９の大きさは、ＰＤ１０４のピッチよりも大きくてもよい。また、画素が配列された画素領域以外の周辺領域において、画素領域に対応するバンプ１０９よりも大きなバンプを併せて設けてもよい。
【００３１】
信号処理チップ１１１は、表裏面にそれぞれ設けられた回路を互いに接続するＴＳＶ（シリコン貫通電極）１１０を有する。ＴＳＶ１１０は、周辺領域に設けられることが好ましい。また、ＴＳＶ１１０は、撮像チップ１１３の周辺領域、メモリチップ１１２にも設けられてよい。
【００３２】
図３は、撮像チップ１１３の画素配列と単位領域１３１を説明する図である。特に、撮像チップ１１３を裏面（撮像面）側から観察した様子を示す。画素領域には例えば２０００万個以上もの画素がマトリックス状に配列されている。図３の例では、隣接する４画素×４画素の１６画素が一つの単位領域１３１を形成する。図の格子線は、隣接する画素がグループ化されて単位領域１３１を形成する概念を示す。単位領域１３１を形成する画素の数は、これに限られず１０００個程度、例えば３２画素×６４画素でもよいし、それ以上でもそれ以下でもよい。
【００３３】
画素領域の部分拡大図に示すように、図３の単位領域１３１は、緑色画素Ｇｂ、Ｇｒ、青色画素Ｂおよび赤色画素Ｒの４画素から成るいわゆるベイヤー配列を、上下左右に４つ内包する。緑色画素Ｇｂ、Ｇｒは、カラーフィルタ１０２として緑色フィルタを有する画素であり、入射光のうち緑色波長帯の光を受光する。同様に、青色画素Ｂは、カラーフィルタ１０２として青色フィルタを有する画素であって青色波長帯の光を受光し、赤色画素Ｒは、カラーフィルタ１０２として赤色フィルタを有する画素であって赤色波長帯の光を受光する。
【００３４】
本実施形態において、１ブロックにつき単位領域１３１を少なくとも一つ含むように複数のブロックが定義され、各ブロックはそれぞれ異なる制御パラメータで各ブロックに含まれる画素を制御できる。つまり、あるブロックに含まれる画素群と、別のブロックに含まれる画素群とで、撮像条件が異なる撮像信号を取得できる。制御パラメータの例は、フレームレート、ゲイン、間引き率、画素信号を加算する加算行数または加算列数、電荷の蓄積時間または蓄積回数、デジタル化のビット数（語長）等である。撮像素子１００は、行方向（撮像チップ１１３のＸ軸方向）の間引きのみでなく、列方向（撮像チップ１１３のＹ軸方向）の間引きも自在に行える。さらに、制御パラメータは、画素からの画像信号取得後の画像処理におけるパラメータであってもよい。
【００３５】
図４は、単位領域１３１における回路を説明する図である。図４の例では、隣接する３画素×３画素の９画素により一つの単位領域１３１を形成する。なお、上述したように単位領域１３１に含まれる画素の数はこれに限られず、これ以下でもこれ以上でもよい。単位領域１３１の二次元的な位置を符号Ａ〜Ｉにより示す。
【００３６】
単位領域１３１に含まれる画素のリセットトランジスタは、画素ごとに個別にオンオフ可能に構成される。図４において、画素Ａのリセットトランジスタをオンオフするリセット配線３００が設けられており、画素Ｂのリセットトランジスタをオンオフするリセット配線３１０が、上記リセット配線３００とは別個に設けられている。同様に、画素Ｃのリセットトランジスタをオンオフするリセット配線３２０が、上記リセット配線３００、３１０とは別個に設けられている。他の画素Ｄから画素Ｉに対しても、それぞれのリセットトランジスタをオンオフするための専用のリセット配線が設けられている。
【００３７】
単位領域１３１に含まれる画素の転送トランジスタについても、画素ごとに個別にオンオフ可能に構成される。図４において、画素Ａの転送トランジスタをオンオフする転送配線３０２、画素Ｂの転送トランジスタをオンオフする転送配線３１２、画素Ｃの転送トランジスタをオンオフする転送配線３２２が、別個に設けられている。他の画素Ｄから画素Ｉに対しても、それぞれの転送トランジスタをオンオフするための専用の転送配線が設けられている。
【００３８】
さらに、単位領域１３１に含まれる画素の選択トランジスタについても、画素ごとに個別にオンオフ可能に構成される。図４において、画素Ａの選択トランジスタをオンオフする選択配線３０６、画素Ｂの選択トランジスタをオンオフする選択配線３１６、画素Ｃの選択トランジスタをオンオフする選択配線３２６が、別個に設けられている。他の画素Ｄから画素Ｉに対しても、それぞれの選択トランジスタをオンオフするための専用の選択配線が設けられている。
【００３９】
なお、電源配線３０４は、単位領域１３１に含まれる画素Ａから画素Ｉで共通に接続されている。同様に、出力配線３０８は、単位領域１３１に含まれる画素Ａから画素Ｉで共通に接続されている。また、電源配線３０４は複数の単位領域間で共通に接続されるが、出力配線３０８は単位領域１３１ごとに個別に設けられる。負荷電流源３０９は、出力配線３０８へ電流を供給する。負荷電流源３０９は、撮像チップ１１３側に設けられてもよいし、信号処理チップ１１１側に設けられてもよい。
【００４０】
単位領域１３１のリセットトランジスタおよび転送トランジスタを個別にオンオフすることにより、単位領域１３１に含まれる画素Ａから画素Ｉに対して、電荷の蓄積開始時間、蓄積終了時間、転送タイミングを含む電荷蓄積を制御することができる。また、単位領域１３１の選択トランジスタを個別にオンオフすることにより、各画素Ａから画素Ｉの画素信号を共通の出力配線３０８を介して出力することができる。
【００４１】
ここで、単位領域１３１に含まれる画素Ａから画素Ｉについて、行および列に対して規則的な順序で電荷蓄積を制御する、いわゆるローリングシャッタ方式が公知である。ローリングシャッタ方式により行ごとに画素を選択してから列を指定すると、図４の例では「ＡＢＣＤＥＦＧＨＩ」の順序で画素信号が出力される。
【００４２】
このように単位領域１３１を基準として回路を構成することにより、単位領域１３１ごとに電荷蓄積時間を制御することができる。換言すると、単位領域１３１間で異なったフレームレートによる画素信号をそれぞれ出力させることができる。また、撮像チップ１１３において一部のブロックに含まれる単位領域１３１に電荷蓄積（撮像）を行わせる間に他のブロックに含まれる単位領域１３１を休ませることにより、撮像チップ１１３の所定のブロックでのみ撮像を行わせて、その画素信号を出力させることができる。さらに、フレーム間で電荷蓄積（撮像）を行わせるブロック（蓄積制御の対象ブロック）を切り替えて、撮像チップ１１３の異なるブロックで逐次撮像を行わせて、画素信号を出力させることもできる。
【００４３】
図５は、図４に例示した回路に対応する撮像素子１００の機能的構成を示すブロック図である。アナログのマルチプレクサ４１１は、単位領域１３１を形成する９個のＰＤ１０４を順番に選択して、それぞれの画素信号を当該単位領域１３１に対応して設けられた出力配線３０８へ出力させる。マルチプレクサ４１１は、ＰＤ１０４と共に、撮像チップ１１３に形成される。
【００４４】
マルチプレクサ４１１を介して出力された画素信号は、信号処理チップ１１１に形成された、相関二重サンプリング（ＣＤＳ）・アナログ／デジタル（Ａ／Ｄ）変換を行う信号処理回路４１２により、ＣＤＳおよびＡ／Ｄ変換が行われる。Ａ／Ｄ変換された画素信号は、デマルチプレクサ４１３に引き渡され、それぞれの画素に対応する画素メモリ４１４に格納される。デマルチプレクサ４１３および画素メモリ４１４は、メモリチップ１１２に形成される。
【００４５】
演算回路４１５は、画素メモリ４１４に格納された画素信号を処理して後段の画像処理部に引き渡す。演算回路４１５は、信号処理チップ１１１に設けられてもよいし、メモリチップ１１２に設けられてもよい。なお、図５では一つの単位領域１３１の分の接続を示すが、実際にはこれらが単位領域１３１ごとに存在して、並列で動作する。ただし、演算回路４１５は単位領域１３１ごとに存在しなくてもよく、例えば、一つの演算回路４１５がそれぞれの単位領域１３１に対応する画素メモリ４１４の値を順に参照しながらシーケンシャルに処理してもよい。
【００４６】
上記の通り、単位領域１３１のそれぞれに対応して出力配線３０８が設けられている。撮像素子１００は撮像チップ１１３、信号処理チップ１１１およびメモリチップ１１２を積層しているので、これら出力配線３０８にバンプ１０９を用いたチップ間の電気的接続を用いることにより、各チップを面方向に大きくすることなく配線を引き回すことができる。
【００４７】
＜領域ごとの撮像条件設定＞
本実施形態では、撮像素子１００（撮像チップ１１３）における複数のブロックごとに撮像条件を設定可能に構成する。制御部３５は、領域区分け部３５ｂによって区分けされた領域を上記ブロックに対応させて、領域ごとに設定した撮像条件で撮像を行わせる。
【００４８】
ユーザーは、例えば、液晶モニタ３６の表示面に表示されるライブビュー画像を確認しながら、所望の領域に対して撮像条件を設定する。ライブビュー画像は、所定のフレームレート（例えば６０ｆｐｓ）で繰り返し撮像するモニタ用画像のことをいう。
【００４９】
ユーザーが、ある領域に対して撮像条件を設定（変更）すると、制御部３５は、ライブビュー画像のうちのその領域に対して画像処理部３３によって画像処理を行わせる。ここで行う画像処理は、撮像条件の変更による効果を確認するための画像処理である。例えば、輝度を高める変更がなされた場合は、液晶モニタ３６へ表示する表示輝度を高める画像処理を行う。また、例えば発光装置４０を発光させる変更がなされた場合は、所定の被写体要素（例えば人物）について、液晶モニタ３６へ表示する表示輝度を高める画像処理を行う。さらにまた、例えば、彩度を高める変更がなされた場合は、液晶モニタ３６へ表示する所定の被写体要素（例えば花）について、彩度を高める画像処理を行う。
このように、ユーザーは、撮像条件の変更による効果を本撮像の前に、画像処理されたライブビュー画像で確認することができる。このような領域ごとの撮像条件設定について、以下に詳しく説明する。
なお、ある領域に対して操作された撮像条件の変更による効果を確認するために画像処理を行い液晶モニタ３６へ表示する方法に限らず、ある領域に対して操作された撮像条件の変更をその領域に対応する撮像素子へ反映し、設定（変更）された撮像条件のライブビュー画像を液晶モニタ３６へ表示する方法を用いてもよい。
【００５０】
図６は、カメラ１の撮像素子１００に結像される被写体の像を模式的に示す図である。カメラ１は、撮像指示が行われる前に、被写体像を光電変換してライブビュー画像を取得する。
【００５１】
制御部３５は、初めに、撮像チップ１１３の全域（すなわち撮像面の全域）に同じ撮像条件を設定する。撮像条件のうち露出条件は、被写体輝度の測光値に応じて適正露出となるように算出した露出条件、またはユーザーによって手動設定された露出条件に基づいて決定する。撮像条件のうち画像処理条件は、標準的な画質となるようにあらかじめ用意された画像処理条件に決定する。以降、このように決定した撮像条件を基準条件と呼ぶ。また、基準条件を適用して取得した画像を基準画像と呼ぶ。
【００５２】
基準条件を決定する一例を説明する。制御部３５は、操作部材３７を構成する露出モード切替スイッチからの操作信号に応じて、「プログラムオート」モード、「シャッター速度優先オート」モード、「絞り優先オート」モード、および「マニュアル」モードのうち一つを選択する。そして、制御部３５は、選択した露出モードに応じた所定の露出演算を行うことによって上記露出条件（電荷蓄積時間、ゲイン、ＩＳＯ感度、フレームレート等）を算出する。
【００５３】
具体的には、「プログラムオート」モードの場合、制御部３５は、例えば画面内の平均的な輝度が適正となるように絞り値、シャッター速度（電荷蓄積時間）、ゲイン等を決定する。「シャッター速度優先オート」モードの場合、制御部３５は、ユーザーが設定するシャッター速度（電荷蓄積時間）を用いて、例えば画面内の平均的な輝度が適正となるように絞り値、ゲイン等を決定する。「絞り優先オート」モードの場合、制御部３５は、ユーザーが設定する絞り値を用いて、例えば画面内の平均的な輝度が適正となるようにシャッター速度（電荷蓄積時間）、ゲイン等を決定する。「マニュアル」モードの場合、制御部３５は、ユーザーが設定する絞り値およびシャッター速度（電荷蓄積時間）に基づいて、適正露出との偏差を演算する。
【００５４】
図６において、撮像チップ１１３の撮像面に、人物６１ａと、自動車６２ａと、バッグ６３ａと、山６４ａと、雲６５ａ、６６ａとを含む像が結像されている。人物６１ａは、バッグ６３ａを両手で抱えている。人物６１ａの右後方に、自動車６２ａが止まっている。
【００５５】
＜領域の区分け＞
制御部３５は、ライブビュー画像に基づき、以下のようにライブビュー画像として取得した画像を複数の領域に区分けする。先ず、物体検出部３５ａによってライブビュー画像から被写体要素を検出する。被写体要素の検出は、公知の被写体認識技術を用いる。図６の例では、物体検出部３５ａが、人物６１ａと、自動車６２ａと、バッグ６３ａと、山６４ａと、雲６５ａと、雲６６ａとを被写体要素として検出する。
【００５６】
次に、領域区分け部３５ｂによって、ライブビュー画像として取得した画像を上記検出手段に基づき、被写体要素を含む領域に区分けする。本例では、人物６１ａを含む領域を第１領域６１とし、自動車６２ａを含む領域を第２領域６２とし、バッグ６３ａを含む領域を第３領域６３とし、山６４ａを含む領域を第４領域６４とし、雲６５ａを含む領域を第５領域６５とし、雲６６ａを含む領域を第６領域６６として説明する。
【００５７】
設定部３５ｃによって、領域区分け部３５ｂが区分けした複数の領域に対して序列をつける。設定部３５ｃは、領域区分け部３５ｂによって区分けされた領域のうち、次の（１）から（４）の領域を検出した場合、撮像条件を領域区分け部３５ｂによって区分けされた他の領域よりも優先的に変更する領域として設定する。
（１）撮像シーンモードに応じた特定の被写体が検出された領域
特定の被写体は、設定されたカメラ１の撮像シーンモードによって異なる。例えば、カメラ１の撮像シーンモード設定がポートレートモードに設定されている場合に、設定部３５ｃは、人物６１ａを含む第１領域６１に対して、自動車６２ａを含む領域を第２領域６２と、バッグ６３ａを含む領域を第３領域６３と、山６４ａを含む領域を第４領域６４と、雲６５ａを含む領域を第５領域６５と、雲６６ａを含む領域を第６領域６６よりも撮像条件を優先的に変更する領域として設定する。ポートレートモードの場合は、人物６１ａを含む第１領域６１の撮像条件を設定（変更）する可能性が高いという考え方に基づく。
【００５８】
例えば、カメラ１の撮像シーンモード設定がクローズアップモードに設定されており、かつ、物体検出部３５ａにより被写体要素として花が検出されている場合において、設定部３５ｃは、花を含む領域に対して、他の領域よりも撮像条件を優先的に変更する領域として設定する。クローズアップモードの場合は、花を含む領域の撮像条件を設定（変更）する可能性が高いという考え方に基づく。
【００５９】
例えば、カメラ１の撮像シーンモード設定が風景モードに設定されており、かつ、物体検出部３５ａにより被写体要素として山が検出されている場合において、設定部３５ｃは、山を含む領域に対して、他の領域よりも撮像条件を優先的に変更する領域として設定する。風景モードの場合は、山を含む領域の撮像条件を設定（変更）する可能性が高いという考え方に基づく。
【００６０】
例えば、カメラ１の撮像シーンモード設定がビーチモードに設定されており、かつ、物体検出部３５ａにより被写体要素として海が検出されている場合において、設定部３５ｃは、海を含む領域に対して、他の領域よりも撮像条件を優先的に変更する領域として設定する。ビーチモードの場合は、海を含む領域の撮像条件を設定（変更）する可能性が高いという考え方に基づく。
【００６１】
例えば、カメラ１の撮像シーンモード設定が夕焼けモードに設定されており、かつ、物体検出部３５ａにより被写体要素として赤い空が検出されている場合において、設定部３５ｃは、赤い空を含む領域に対して、他の領域よりも撮像条件を優先的に変更する領域として設定する。夕焼けモードの場合は、赤い空を含む領域の撮像条件を設定（変更）する可能性が高いという考え方に基づく。
【００６２】
例えば、カメラ１の撮像シーンモード設定が料理モードに設定されており、かつ、物体検出部３５ａにより被写体要素として皿に盛られた料理が検出されている場合において、設定部３５ｃは、皿および料理を含む領域に対して、他の領域よりも撮像条件を優先的に変更する領域として設定する。料理モードの場合は、皿に盛られた料理を含む領域の撮像条件を設定（変更）する可能性が高いという考え方に基づく。
【００６３】
上記カメラ１の撮像シーンモードの設定は、ユーザーが操作部材３７を操作することで設定されてもよいし、ライブビュー画像の画面から検出された被写体要素に基づいて制御部３７により設定されるようにしてもよい。
【００６４】
（２）フォーカスが合っている被写体要素を含む領域
上記フォーカスポイントに対応する被写体にフォーカスを合わせるＡＦ動作が行われた場合に、設定部３５ｃは、フォーカスが合っている被写体要素（すなわち、フォーカスポイントに対応する被写体要素）を含む領域に対して、フォーカスが合っていない被写体要素を含む領域よりも撮像条件を優先的に変更する領域として決定する。
なお、フォーカスが合っている被写体要素が存在しない場合には、フォーカスのずれ量が最も小さい被写体要素（すなわち、被写体要素の位置からフォーカスが合う位置までが最も近い被写体要素）を含む領域を、撮像条件を優先的に変更する領域として決定するようにしてもよい。
【００６５】
（３）最小輝度または最大輝度である被写体要素を含む領域
設定部３５ｃは、物体検出部３５ａにより検出されている複数の被写体要素のうち、明るさが最も暗い被写体要素、または最も明るい被写体要素を含む領域を、他の領域よりも撮像条件を優先的に変更する領域として決定する。黒つぶれのような暗すぎる被写体要素や、白とびのような明るすぎる被写体要素を含む領域は、撮像条件を設定（変更）する可能性が高いという考え方に基づく。
【００６６】
（４）特定の色成分の比率が高い被写体要素を含む領域
設定部３５ｃは、物体検出部３５ａにより検出されている複数の被写体要素のうち、上述した緑色画素Ｇｂ、Ｇｒ、または青色画素Ｂ、または赤色画素Ｒの色成分の比率が、他の色成分の比率に比べて高い被写体要素を含む領域を、他の領域よりも撮像条件を優先的に変更する領域として決定する。例えば空の青、海の青、山の緑、夕焼けの赤のような被写体要素を含む領域は、撮像条件を設定（変更）する可能性が高いという考え方に基づく。
【００６７】
（５）カメラ１に対して最も近い被写体要素を含む領域
設定部３５ｃは、カメラ１に至近の被写体要素を含む領域に対して、撮像条件を遠方の被写体要素よりも優先的に変更する領域として決定する。例えば、制御部３５は、カメラ１から区分けされた被写体要素までの距離情報を取得し、カメラ１に至近の被写体要素を含む領域を決定する。また、制御部３５は、距離情報を得られない場合は、画面を占める割合が最大の被写体要素を含む領域をカメラ１に至近の被写体要素として決定するようにしてもよい。
【００６８】
設定部３５ｃは、領域区分け部３５ｂによって区分けされた領域のうち、次の（６）から（１０）の領域を検出した場合、上述した（１）から（５）の領域よりも序列を低くして、撮像条件を変更する領域として決定する。
【００６９】
（６）フォーカスのずれ量が最も小さい被写体要素を含む領域
上記フォーカスポイントに対応する被写体にフォーカスを合わせるＡＦ動作が行われた場合に、設定部３５ｃは、物体検出部３５ａにより検出されている複数の被写体要素のうち、フォーカスが合っている被写体要素を含む領域以外の領域のうち最もフォーカスのずれ量が小さい被写体要素を含む領域を、他の領域よりも撮像条件を優先的に変更する領域として設定する。一般に、フォーカスのずれ量が小さいほど被写体要素の輪郭の尖鋭度が高くなるので、輪郭の尖鋭度が高い被写体要素はフォーカスのずれ量が小さいといえる。設定部３５ｃは、輪郭の尖鋭度が高い被写体要素を含む領域を、撮像条件を輪郭の尖鋭度が低い領域よりも優先的に変更する領域として設定する。
【００７０】
（例１）
例えば、図６において、ＡＦ演算部により第１領域６１に対してＡＦ動作が行われたことによって人物６１ａにフォーカスが合っている場合を想定する。設定部３５ｃは、自動車６２ａと、バッグ６３ａと、山６４ａと、雲６５ａと、雲６６ａとのうち、フォーカスのずれ量が最も小さい被写体要素（すなわち、フォーカスが合っている人物６１ａの位置から最も近い位置にあるバッグ６３ａ）を含む第３領域６３を、人物６１ａを含む第１領域６１に次いで撮像条件を優先的に変更する領域として設定する。人物６１ａを含む第１領域６１に次いで、バッグ６３ａを含む第３領域６３の撮像条件が設定（変更）される可能性が高いという考え方に基づく。
【００７１】
（例２）
例えば、図６において、ＡＦ演算部により人物６１ａと自動車６２ａとの間にフォーカスが合っている場合を想定する。設定部３５ｃは、自動車６２ａと、バッグ６３ａと、山６４ａと、雲６５ａと、雲６６ａとのうち、フォーカスのずれ量が最も小さい被写体要素（すなわち、フォーカスが合っている位置から最も近い位置にある自動車６２ａ）を含む第２領域６２を、人物６１ａを含む第１領域６１に次いで撮像条件を優先的に変更する領域として設定する。人物６１ａを含む第１領域６１に次いで、自動車６２ａを含む第２領域６２の撮像条件が設定（変更）される可能性が高いという考え方に基づく。
【００７２】
（７）距離差が小さい被写体要素を含む領域
設定部３５ｃは、カメラ１から被写体要素までの距離の差に基づいて序列を設定する。例えば、図６において、第１領域６１に対してＡＦ動作が行われたことによって人物６１ａにフォーカスが合っている場合を想定する。この場合、設定部３５ｃは、自動車６２ａと、バッグ６３ａと、山６４ａと、雲６５ａと、雲６６ａとのうち、カメラ１からの距離が、カメラ１から人物６１ａまでの距離に近い（距離差が小さい）被写体要素を含む領域ほど、撮像条件を優先的に変更する領域として設定する。
【００７３】
（８）輝度差が大きい被写体要素を含む領域
例えば、図６において、第１領域６１に対してＡＦ動作が行われたことによって人物６１ａにフォーカスが合っている場合を想定する。設定部３５ｃは、自動車６２ａと、バッグ６３ａと、山６４ａと、雲６５ａと、雲６５ａと、雲６６ａとのうち、人物６１ａとの間で輝度差が最も大きい被写体要素を含む領域を、人物６１ａを含む第１領域６１に次いで撮像条件を優先的に変更する領域として設定する。例えば、人物６１ａとの間で山６４ａの輝度差が最大である場合、設定部３５ｃは、山６４ａを含む第４領域６４を、人物６１ａを含む第１領域６１に次いで撮像条件を優先的に変更する領域として設定する。人物６１ａとの間で輝度差が大きな被写体要素を含む領域は、撮像条件が設定（変更）される可能性が高いという考え方に基づく。
【００７４】
（９）大きい被写体要素を含む領域
被写体要素を含む領域間のフォーカスのずれ量の差の大小関係が乏しく、領域間で輝度差の大小関係も乏しい場合には、設定部３５ｃは、他の被写体要素に比べて大きな被写体要素を含む領域、換言すると画面内の占有面積が大きい領域ほど、撮像条件を優先的に変更する領域として設定する。
【００７５】
（１０）画面の中央に近い被写体要素を含む領域
被写体要素を含む領域間のフォーカスのずれ量の差の大小関係が乏しく、領域間で輝度差の大小関係も乏しい場合には、設定部３５ｃは、画面の中央に近い被写体要素を含む領域ほど、撮像条件を優先的に変更する領域として設定する。
【００７６】
本実施形態では、ユーザーが操作部材３７を操作することによって、上記（６）から（１０）のいずれか一つがあらかじめ選択されるようにしてもよい。また、上記（６）から（１０）のうち複数を組み合わせるようにしてもよい。
【００７７】
以上の手順により、設定部３５ｃが第２領域６３〜第６領域６６に対して序列をつける。例えば、大きな被写体要素である自動車６２ａを含む第２領域６２を２位とし、バッグ６３ａを含む第３領域６３を３位とし、山６４ａを含む第４領域６４を４位とし、雲６５ａを含む第５領域６５を５位とし、雲６６ａを含む第６領域６６を６位とする。
【００７８】
設定部３５ｃは、上記（６）〜（１０）による処理を経てもなお序列がつけられない領域については、同等の序列を有するものとして扱う。
【００７９】
＜領域に対する撮像条件の設定＞
制御部３５は、領域区分け部３５ｂによって画面が複数の領域に区分けされると、図７に例示するような設定画面を液晶モニタ３６に表示させる。図７において、ライブビュー画像６０ａが表示され、ライブビュー画像６０ａに重ねてアイコン７１およびアイコン７２が表示されている。ライブビュー画像６０ａは、上述した基準条件を適用して取得した基準画像である。
【００８０】
アイコン７１は、撮像条件の設定項目の一例として「輝度」を選択するための操作アイコンである。アイコン７２は、撮像条件の設定項目の一例として「彩度」を選択するための操作アイコンである。撮像条件の設定項目を選択するための操作アイコンは、図７に例示した他にも適宜加えて構わない。また、撮像条件の設定項目は、撮影者が選択して決定してもよいが、検出された被写体像からカメラ１の制御部３５により判断し決定されてもよい。
【００８１】
図７において、第１領域〜第６領域のうち輪郭を強調して表示（太く表示、明るく表示、色を変えて表示、破線で表示、点滅表示等）する領域は、撮像条件の設定（変更）の対象とする領域を示す。図７の例では、第１領域６１の輪郭を強調したライブビュー画像６０ａが表示されているので、第１領域６１が、撮像条件の設定（変更）の対象である。第１領域６１の輪郭を強調したことにより、ユーザーに対して、撮像条件の設定（変更）の対象となっている領域を分かりやすく示すことができる。図７の設定画面において、最初に撮像条件の設定（変更）の対象にするのは、設定部３５ｃによって付与された序列が１位の領域である。
【００８２】
例えば、タッチ操作が可能なカメラ１においては、ユーザーによってアイコン７１がタップ操作されると、制御部３５は、強調して表示されている領域（第１領域６１）を対象に設定（変更）する撮像条件の設定項目として、輝度を選ぶ。
以後の説明では、カメラ１はタッチ操作を前提として説明を行うが、操作部材３７を構成するボタン等の操作により、撮像条件の設定項目を選ぶようにしてもよい。
【００８３】
＜輝度を変更する場合＞
図７に例示した設定画面の場合において、撮像条件の設定項目として輝度を選んだ制御部３５は、ライブビュー画像のうち撮像条件の設定（変更）の対象である第１領域６１の輝度を、基準画像の輝度よりも高くする（または低くする）ように、第１領域６１に対応する撮像条件を決定する。撮像条件の設定（変更）の対象でない領域（第１領域６１以外の他の領域）については、基準画像の輝度を保つように、設定されている撮像条件を維持する。
なお、撮像条件の設定（変更）の対象でない領域のうち、第１領域６１との境界付近については、上記境界付近における撮像条件の不連続性をぼかすように、画像全体のバランスを考慮して撮像条件を変更してもよい。
【００８４】
第１領域６１の輝度を高くする場合、撮像条件設定部３５ｄは、第１領域６１の撮像条件のうち、例えば電荷蓄積時間を上記基準条件の電荷蓄積時間に比べて長くしたり、ゲインを上記基準条件のゲインに比べて高くしたりすることにより、輝度を高くするための撮像条件を決定する。
【００８５】
また、第１領域６１の輝度を低くする場合、撮像条件設定部３５ｄは、第１領域６１の撮像条件のうち、例えば電荷蓄積時間を上記基準条件の電荷蓄積時間に比べて短くしたり、ゲインを上記基準条件のゲインに比べて低くしたりすることにより、輝度を低くするための撮像条件を決定する。
【００８６】
撮像条件設定部３５ｄは、輝度を高く、または低くする撮像条件を決定する場合において、基準条件で得られている輝度に比べて輝度が徐々に異なるように多段階（例えば８段階）の撮像条件を決定する。ただし、輝度を高くする場合の上限は、ライブビュー画像の第１領域６１の中の高輝度領域が飽和しない（いわゆる白飛びしない）値とする。また、輝度を低くする場合の下限は、ライブビュー画像の第１領域６１の中の低輝度領域が暗すぎない（いわゆる黒潰れしない）値とする。
【００８７】
撮像条件設定部３５ｄは、第１領域６１について輝度を上下させるための多段階の撮像条件を上述したように決定し、輝度について決定した多段階の撮像条件を、画像処理部３３に設定する。画像処理部３３に設定する理由は、ライブビュー画像に対して画像処理を施すことによって、後述する多段階の候補画像を得るためである。
【００８８】
＜彩度を変更する場合＞
図７に例示した設定画面の場合において、撮像条件の設定項目として彩度を選んだ制御部３５は、ライブビュー画像のうち撮像条件の設定（変更）の対象である第１領域６１の彩度を、基準画像の彩度よりも上げる（または下げる）ように、第１領域６１に対応する撮像条件を決定する。撮像条件の設定（変更）の対象でない領域（第１領域６１以外の他の領域）については、基準画像の彩度を保つように、設定されている撮像条件を維持する。
なお、撮像条件の設定（変更）の対象でない領域のうち、第１領域６１との境界付近については、上記境界付近における撮像条件の不連続性をぼかすように、画像全体のバランスを考慮して撮像条件を変更してもよい。
【００８９】
第１領域６１の彩度を上げる場合、撮像条件設定部３５ｄは、第１領域６１の撮像条件のうち、例えば緑色画素Ｇｂ、Ｇｒ、または青色画素Ｂ、または赤色画素Ｒから読み出された信号の値を他の色成分の信号の値に比べて相対的に高めることにより、特定の色を鮮やかにするための撮像条件を決定する。
【００９０】
また、第１領域６１の彩度を下げる場合、撮像条件設定部３５ｄは、第１領域６１の撮像条件のうち、例えば緑色画素Ｇｂ、Ｇｒ、青色画素Ｂ、および赤色画素Ｒから読み出された信号のうち他の色成分に比べて突出している色成分の信号の値を相対的に低くすることにより、特定の色の鮮やかさを抑えるための撮像条件を決定する。
【００９１】
撮像条件設定部３５ｄは、彩度を上げたり下げたりする撮像条件を決定する場合において、基準条件で得られる彩度に比べて彩度が徐々に異なるように多段階（例えば８段階）の撮像条件を決定する。ただし、彩度を上げる場合の上限は、ライブビュー画像の第１領域６１の中の高彩度（突出する色成分）の信号が飽和しない値とする。また、彩度を下げる場合の下限は、ライブビュー画像の第１領域６１の中の色が無彩色になるまで鮮やかさを抑えない値とする。
【００９２】
撮像条件設定部３５ｄは、第１領域６１について彩度を上下させるための多段階の撮像条件を上述したように決定し、彩度について決定した多段階の撮像条件を、画像処理部３３に設定する。画像処理部３３に設定する理由は、ライブビュー画像に対して画像処理を施すことによって、後述する多段階の候補画像を得るためである。
【００９３】
例えば、カメラ１の撮像シーンモード設定がポートレートモードに設定されている場合において、撮像条件設定部３５ｄは、人物６１ａを含む第１領域６１に対して、人物の彩度を下げるように、第１領域６１に対応する撮像条件を決定する。また、撮像条件設定部３５ｄは、背景である山６４ａを含む領域を第４領域６４に対して、山の彩度を上げる（例えば緑色画素Ｇｒ，Ｇｂから読み出された信号の値を他の色成分の信号の値に比べて相対的に高める）ように、第４領域６４に対応する撮像条件を決定する。ポートレートモードの場合は、背景を鮮やかにして人物６１ａを引き立たせる可能性が高いという考え方に基づく。
【００９４】
例えば、カメラ１の撮像シーンモード設定が料理モードに設定されており、かつ、物体検出部３５ａにより被写体要素として皿に盛られた料理が検出されている場合において、撮像条件設定部３５ｄは、皿および料理を含む領域に対して、彩度を上げるように撮像条件を決定する。
【００９５】
例えば、カメラ１の撮像シーンモード設定が紅葉モードに設定されており、かつ、物体検出部３５ａにより被写体要素として赤い紅葉が検出されている場合において、撮像条件設定部３５ｄは、赤い紅葉を含む領域に対して、彩度を上げる（例えば赤色画素Ｒから読み出された信号の値を他の色成分の信号の値に比べて相対的に高める）ように撮像条件を決定する。カメラ１の撮像シーンモード設定が夕焼けモードの場合も同様である。
【００９６】
例えば、カメラ１の撮像シーンモード設定がビーチモードに設定されており、かつ、物体検出部３５ａにより被写体要素として海が検出されている場合において、撮像条件設定部３５ｄは、海、空を含む領域に対して、それぞれ彩度を上げる（例えば青色画素Ｂから読み出された信号の値を他の色成分の信号の値に比べて相対的に高める）ように撮像条件を決定する。
【００９７】
＜他のライブビュー画像の場合＞
図８は、ライブビュー画像６０ａとは別のライブビュー画像６０ｂを表示する液晶モニタ３６の設定画面を例示する図である。例えば、カメラ１の撮像シーンモード設定がクローズアップモードに設定されており、かつ、物体検出部３５ａにより被写体要素として赤い花が検出されている場合において、設定部３５ｃは、赤い花を含む領域に対する序列を１位にする。これにより、第１領域６１ｂの輪郭が、撮像条件の設定（変更）の対象領域として強調して表示される。上述したように、クローズアップモードの場合は、花を含む領域の撮像条件を他の領域よりも優先的に設定（変更）する可能性が高いという考え方に基づく。
図８におけるアイコン７１およびアイコン７２については、図７に例示した設定画面の場合と同様であるので、説明を省略する。
【００９８】
図８に例示した設定画面の場合において、撮像条件の設定項目として彩度を選んだ制御部３５は、ライブビュー画像のうち撮像条件の設定（変更）の対象である第１領域６１ｂに対して、彩度を上げる（例えば赤色画素Ｒから読み出された信号の値を他の色成分の信号の値に比べて相対的に高める）ように撮像条件を決定する。赤色画素Ｒから読み出された信号の値を他の色成分の信号の値に比べて相対的に高めることにより、赤い花の色を鮮やかにするための撮像条件を決定する。
【００９９】
以上例示したように、撮像条件設定部３５ｄは、領域区分け部３５ｂによって区分けされた領域における被写体要素の色ごとに緑色画素Ｇｂ、Ｇｒ、青色画素Ｂ、および赤色画素Ｒから読み出された信号のうち他の色成分に比べて突出している色成分の信号の値を変更することによって、彩度を変化させた撮像条件を決定する。
【０１００】
＜候補画像の表示＞
画像処理部３３は、撮像制御部３５ｅによって上述した輝度についての多段階の撮像条件が設定された場合において、上記基準条件を適用して取得された基準画像のうちの第１領域６１の中の画像の輝度が多段階に異なる複数（上記８段階の場合は８枚）の画像を生成する。本実施形態では、このように生成された複数の画像を候補画像と呼ぶ。画像処理部３３によって生成された複数の候補画像は、ワークメモリ３４に一時的に記録される。
【０１０１】
また、画像処理部３３は、撮像条件設定部３５ｄによって上述した彩度についての多段階の撮像条件が設定された場合において、上記基準画像のうちの第１領域６１ｂの中の画像の彩度が多段階に異なる複数（上記８段階の場合は８枚）の画像を生成する。これらの複数の画像も候補画像と呼ぶ。画像処理部３３によって生成された複数の候補画像は、ワークメモリ３４に一時的に記録される。
【０１０２】
表示制御部３５ｇは、上述した複数の候補画像がワークメモリ３４に記録された場合に、図９に示すように、液晶モニタ３６の表示面に候補画像を並べて表示させる。図９〜図１２は、それぞれ候補画像を並べて表示する液晶モニタ３６の画面を例示する図である。
【０１０３】
表示制御部３５ｇは、上述した輝度を多段階に異ならせた候補画像がワークメモリ３４に記録された場合には、液晶モニタ３６の表示面に、これら輝度についての候補画像を並べて表示させる。また、表示制御部３５ｇは、上述した彩度を多段階に異ならせた候補画像がワークメモリ３４に記録された場合には、液晶モニタ３６の表示面に、これら彩度についての候補画像を並べて表示させる。
【０１０４】
図９において、８つの候補画像のうち４つの候補画像（候補画像６０−１〜候補画像６０−４）が表示されている。候補画像６０−２は、候補画像６０−１に比べて輝度（または彩度）が一段階高い。候補画像６０−３は、候補画像６０−２に比べて輝度（または彩度）が一段階高い。候補画像６０−４は、候補画像６０−３に比べて輝度（または彩度）が一段階高い。
【０１０５】
候補画像６０−１の左側位置には左アイコン７３が表示されており、候補画像６０−４の右位置には右アイコン７４が表示されている。例えば、図９の表示画面上でユーザーが指８０で右アイコン７４をタップ操作した場合、表示制御部３５ｇは、図１０に例示するように、８つの候補画像のうち４つの候補画像（候補画像６０−２〜候補画像６０−５）を表示させる。図１０によれば、図９において表示されていた候補画像６０−１が表示されなくなり、図９において表示されていなかった候補画像６０−５が新しく表示される。候補画像６０−５は、候補画像６０−４に比べて輝度（または彩度）が一段階高い。
【０１０６】
図示を省略するが、例えば、図１０の表示画面上でユーザーが指８０で左アイコン７３をタップ操作した場合、表示制御部３５ｇは、図９に例示するように、８つの候補画像のうち４つの候補画像（候補画像６０−１〜候補画像６０−４）を表示させる。すなわち、図１０において表示されていた候補画像６０−５が表示されなくなり、図１０において表示されていなかった候補画像６０−１が新しく表示される。
【０１０７】
図１１は、８つの候補画像のうち４つの候補画像（候補画像６０−３〜候補画像６０−６）を表示させる液晶モニタ３６の画面を例示する図である。候補画像６０−６は、候補画像６０−５に比べて輝度が一段階高い。
【０１０８】
例えば、図１１の表示画面上でユーザーが指８０で表示画面内を上から下へ矢印方向の向きへスライド操作した場合、表示制御部３５ｇは、図１２に例示するように、８つの候補画像のうち４つの候補画像（候補画像６０−１〜候補画像６０−４）を表示させる。図１２によれば、図１１において表示されていた候補画像６０−４および候補画像６０−５が表示されなくなり、図１１において表示されていなかった候補画像６０−１および候補画像６０−２が新しく表示される。
【０１０９】
このように、ユーザーは、複数の候補画像を確認することができる。また、ユーザーは、左アイコン７３または右アイコン７４のタップ操作、あるいは指８０によるスライド操作を行うことにより、液晶モニタ３６に表示されていない他の候補画像を表示させて確認することができる。
【０１１０】
図１３は、彩度が多段階に異なる候補画像を並べて表示する液晶モニタ３６の画面を例示する図である。図１３において、８つの候補画像のうち４つの候補画像（候補画像１６０−１〜候補画像１６０−４）が表示されている。候補画像１６０−２は、候補画像１６０−１に比べて彩度が一段階高い。候補画像１６０−３は、候補画像１６０−２に比べて彩度が一段階高い。候補画像１６０−４は、候補画像１６０−３に比べて彩度が一段階高い。左アイコン７３および右アイコン７４については、図９、図１０に例示した場合と同様であるので、説明を省略する。
【０１１１】
＜選択操作＞
ユーザーは、複数の候補画像のうち任意の候補画像を選択する。例えば、図９〜図１２に例示した画面上でユーザーが複数の候補画像のうち任意の候補画像が表示されている位置を指８０でダブルタップ操作すると、制御部３５は、次に撮像指示が行われた場合に第１領域６１に対して適用する撮像条件を以下のように決定し、図７に例示したような設定画面を液晶モニタ３６に表示する状態へ戻る。
【０１１２】
すなわち、制御部３５（撮像制御部３５ｅ）は、ダブルタップ操作された候補画像の第１領域６１に適用されている撮像条件を、撮像部３２または画像処理部３３に設定する。撮像部３２に設定する理由は、次の撮像時において、輝度の変更を撮像素子１００の露出条件の変更によって実現させるためである。また、画像処理部３３に設定する理由は、次の撮像時において、彩度の変更を画像処理部３３の画像処理条件の変更によって実現させるためである。
【０１１３】
具体的には、輝度についての複数の候補画像の一つがダブルタップ操作された場合には、撮像条件設定部３５ｄは、ダブルタップされた候補画像に対応する輝度を得るための露出条件を第１領域６１に対して適用する撮像条件（露出条件）として決定し、撮像制御部３５ｅは、その条件を撮像部３２に設定する。
【０１１４】
また、図１３に例示した画面上で彩度についての複数の候補画像の一つがダブルタップ操作された場合には、撮像条件設定部３５ｄは、ダブルタップされた候補画像に対応する彩度を得るための画像処理条件を第１領域１６１に対して適用する撮像条件（画像処理条件）として決定し、撮像制御部３５ｅは、その条件を画像処理部３３に設定する。
【０１１５】
ユーザーは、輝度に関する複数の候補画像のうち任意の候補画像を選択する操作をした後に、彩度に関する複数の候補画像のうち任意の候補画像を選択する操作をすることができる。また、ユーザーは、彩度に関する複数の候補画像のうち任意の候補画像を選択する操作をした後に、輝度に関する複数の候補画像のうち任意の候補画像を選択する操作をすることができる。
【０１１６】
さらに、ユーザーは、第１領域６１以外の領域、すなわち設定部３５ｃによって付与された序列が２位以下の領域についても、輝度または彩度に関して複数の候補画像のうち任意の候補画像を選択する操作を行うことができる。制御部３５は、例えば図７に例示する設定画面を液晶モニタ３６に表示させている状態で、ユーザーが指で第１領域６１以外の領域をタップ操作した場合、第１領域６１に代えて、タップ操作された領域を強調して表示させる。撮像条件設定部３５ｄは、強調して表示された領域を、撮像条件を設定（変更）する対象とする。以降の設定操作は、上述した第１領域６１の場合と同様である。
【０１１７】
なお、ユーザーが第１領域６１以外の領域をタップ操作することなしに、制御部３５が、設定部３５ｃによって付与された序列が２位以下の領域を順番に、撮像条件の設定（変更）の対象となる領域として切り替えるようにしてもよい。
【０１１８】
本実施形態では、撮像条件の設定（変更）の対象となる領域（上記例では第１領域６１）の輪郭を強調表示する例を説明したが、輪郭強調の代わりに、対象領域全体のコントラストを高めて表示させたり、対象領域全体を点滅表示させたりしてもよい。また、対象領域を枠で囲ってもよい。対象領域を囲う枠の表示は、二重枠や一重枠でもよく、囲う枠の線種等の表示態様は、適宜変更して構わない。また、制御部３５は、対象領域の近傍において矢印などで撮像条件の設定の対象となる領域を指し示す表示をしてもよい。制御部３５は、撮像条件の設定（変更）の対象となる対象領域以外を暗く表示させたり、対象領域以外のコントラストを低めて表示させたりしてもよい。
【０１１９】
以上説明した領域に対する撮像条件が設定された後に、操作部材３７を構成する不図示のレリーズボタン、または撮像開始を指示する表示が操作されると、制御部３５は、上記区分けされた領域の各々に対して設定された撮像条件で撮像を行い、画像処理した画像データを生成し、不図示のメモリカードなどで構成される記録媒体に記録させる。
【０１２０】
＜フローチャートの説明＞
図１４は、領域ごとに撮像条件を設定して撮像する処理の流れを説明するフローチャートである。カメラ１のメインスイッチがオン操作されると、制御部３５は、図１４に示す処理を実行するプログラムを起動させる。ステップＳ１０において、制御部３５は、液晶モニタ３６にライブビュー表示を開始させて、ステップＳ２０へ進む。
【０１２１】
具体的には、制御部３５が撮像部３２へライブビュー画像の取得開始を指示し、取得されたライブビュー画像を逐次液晶モニタ３６に表示させる。上述したように、この時点では撮像チップ１１３の全域、すなわち画面の全体に同一の撮像条件が設定されている。
なお、ライブビュー表示中にＡＦ動作を行う設定がなされている場合、制御部３５（ＡＦ演算部３５ｆ）は、所定のフォーカスポイントに対応する被写体要素にフォーカスを合わせるＡＦ動作を制御する。また、ライブビュー表示中にＡＦ動作を行う設定がなされていない場合、制御部３５（ＡＦ演算部３５ｆ）は、後にＡＦ動作が指示された時点でＡＦ動作を行う。
【０１２２】
ステップＳ２０において、制御部３５（物体検出部３５ａ）は、ライブビュー画像から被写体要素を検出してステップＳ３０へ進む。ステップＳ３０において、制御部３５（領域区分け部３５ｂ）は、ライブビュー画像の画面を、被写体要素を含む領域に区分けしてステップＳ４０へ進む。
【０１２３】
ステップＳ４０において、制御部３５は、カメラ１の設定状態または被写体の状態に基づいて上述した基準条件を決める。すなわち、画面の全域に同じ撮像条件を設定してステップＳ５０へ進む。
【０１２４】
ステップＳ５０において、制御部３５は、基準条件を適用したライブビュー画像（基準画像）を取得してステップＳ６０へ進む。ステップＳ６０において、制御部３５は、領域区分け部３５ｂによって区分けされた領域のうち、撮像条件の設定（変更）の対象とする領域を選ぶ。制御部３５は、例えば、設定部３５ｃによって付与された序列が１位の領域から順番に選ぶ。
【０１２５】
ステップＳ７０において、制御部３５は、候補画像を表示させるための操作が行われたか否かを判定する。制御部３５は、上述したように、ユーザーによって図７（または図８）のアイコン７１または７２がタップ操作された場合にステップＳ７０を肯定判定してステップＳ８０へ進み、アイコン７１も７２もタップ操作されない場合には、ステップＳ７０を否定判定してステップＳ１２０へ進む。
【０１２６】
ステップＳ８０において、制御部３５は、設定（変更）する撮像条件を決める。すなわち、制御部３５は、ユーザーによってタップ操作されたアイコン７１または７２に対応する設定項目に決定し、ステップＳ９０へ進む。
【０１２７】
ステップＳ９０において、制御部３５（撮像条件設定部３５ｄ）は、ステップＳ８０で決定した設定項目に対して複数の候補画像を取得してステップＳ１００へ進む。ステップＳ１００において、制御部３５は、液晶モニタ３６の表示面に複数の候補画像を表示させてステップＳ１１０へ進む。
【０１２８】
ステップＳ１１０において、制御部３５は、ユーザーにより上記選択操作（例えばダブルタップ）が行われた場合に、撮像条件の設定（変更）の対象となる領域に対し、ダブルタップされた候補画像に対応する撮像条件を決定し、その条件を撮像部３２または画像処理部３３に設定してステップＳ１２０へ進む。
なお、ステップＳ１１０におけるユーザー操作に応じた液晶モニタ３６の表示遷移や撮像条件の設定については、上述したとおりである。
【０１２９】
ステップＳ１２０において、制御部３５は、撮像指示の有無を判定する。制御部３５は、操作部材３７を構成する不図示のレリーズボタン、または撮像を指示する表示が操作された場合、ステップＳ１２０を肯定判定してステップＳ１３０へ進む。制御部３５は、撮像指示が行われない場合には、ステップＳ１２０を否定判定してステップＳ７０へ戻る。
【０１３０】
ステップＳ１３０において、制御部３５は、所定の本撮像処理を行う。すなわち、撮像制御部３５ｅが上記領域ごとに設定された撮像条件で撮像するように撮像部３２を制御するとともに、撮像して得られた画像データに対して画像処理部３３によって所定の画像処理を施す。そして、記録部３９によって画像データを不図示の記録媒体に記録する。
【０１３１】
ステップＳ１４０において、制御部３５は、終了操作が行われたか否かを判断する。制御部３５は、終了操作が行われた場合にステップＳ１４０を肯定判定して図１４による処理を終了する。制御部３５は、終了操作が行われない場合には、ステップＳ１４０を否定判定してステップＳ２０へ戻る。ステップＳ２０へ戻った場合、制御部３５は、上述した処理を繰り返す。
【０１３２】
上述した実施の形態によれば、次の作用効果が得られる。
（１）カメラ１は、撮像面の複数の領域の撮像条件を設定可能に構成された撮像素子１００により被写体像を撮像する撮像部３２と、領域ごとに撮像条件を変更する際のパラメータを、撮像されたライブビュー画像から検出された被写体要素に基づいて決定する制御部３５とを備える。これにより、カメラ１が、領域ごとに撮像条件を変更するためのパラメータを自動的に決めてくれるので、ユーザーにとって、領域ごとの撮像条件の設定が行いやすくなる。
【０１３３】
（２）制御部３５は、パラメータを、被写体要素と、設定されている撮像モードとに基づいて決定する。これにより、被写体要素の種類（例えば、人物、山、花など）や、撮像モード（例えば、ポートレートモード、風景モードなど）に応じて適切なパラメータが自動的に決定されるので、ユーザーにとって、領域ごとの撮像条件の設定が行いやすくなる。
【０１３４】
（３）カメラ１は、撮像されたライブビュー画像に対し、複数の領域のうちの少なくとも一つの領域で、制御部３５により決定されたパラメータを用いて撮像条件を変更した候補画像を生成する画像処理部３３を備える。これにより、ユーザーは、領域に対して撮像条件を変更した場合の効果を、本撮像する前に、ライブビュー画像に画像処理が施された候補画像によって確認することが可能になる。
【０１３５】
（４）制御部３５は、パラメータを複数決定し、画像処理部３３は、撮像されたライブビュー画像に対し、制御部３５により決定された互いに異なる複数のパラメータを用いて撮像条件を段階的に変更した複数の候補画像を生成する。これにより、ユーザーは、撮像条件を変更した場合の効果について、撮像条件が段階的に異なる複数の候補画像で比べることが可能になる。
【０１３６】
（５）撮像条件は、輝度または彩度であり、画像処理部３３は、輝度または彩度を段階的に変更した複数の候補画像を生成する。これにより、ユーザーは、輝度（または彩度）を変更した場合の効果について、輝度（または彩度）が段階的に異なる複数の候補画像で比べることが可能になる。
【０１３７】
（６）画像処理部３３は、撮像されたライブビュー画像を撮像条件を変更する前の基準画像として生成するとともに、撮像条件を変更した後の候補画像を生成する。これにより、ユーザーは、領域に対して撮像条件を変更した場合の効果について、撮像条件を変更する前と比べることが可能になる。
【０１３８】
（７）画像処理部３３は、基準画像と、基準画像に対して輝度が高い画像、および／または基準画像に対して輝度が低い画像とを生成する。これにより、ユーザーは、領域に対して輝度を変更した場合の効果について、輝度を変更する前と比べることが可能になる。
【０１３９】
（８）画像処理部３３は、基準画像と、基準画像に対して彩度が高い画像、および／または基準画像に対して彩度が低い画像とを生成する。これにより、ユーザーは、領域に対して彩度を変更した場合の効果について、彩度を変更する前と比べることが可能になる。
【０１４０】
（９）画像処理部３３によって生成された画像を表示する液晶モニタ３６を備えるようにしたので、ユーザーは、領域に対して撮像条件を変更した場合の効果について、視覚的に比べることが可能になる。
【０１４１】
（１０）液晶モニタ３６に表示されている候補画像を選ぶ操作がなされた場合に、候補画像が生成された領域に対応する撮像部３２の撮像面の領域に対し、候補画像の生成に用いられたパラメータに対応する撮像条件を設定する制御部３５を備える。これにより、ユーザーにとって、領域ごとの撮像条件の設定が行いやすくなる。
【０１４２】
（１１）複数の領域のうち、画像処理部３３によって撮像条件を変更して生成された画像を表示する領域を、他の領域と異なる態様で液晶モニタ３６に表示させる表示制御部３５ｇを備える。これにより、ユーザーに対して、設定（変更）の対象である領域をわかりやすく示すことができる。
【０１４３】
次のような変形も本発明の範囲内であり、変形例の一つ、もしくは複数を上述の実施形態と組み合わせることも可能である。
【０１４４】
（変形例１）
上述した説明では、図９、図１３に例示したように、表示制御部３５ｇが液晶モニタ３６の表示面に複数の候補画像を並べて表示させる例を説明した。この代わりに、液晶モニタ３６の表示面に基準画像を表示させておき、基準画像のうちの撮像条件の設定（変更）の対象となる領域（上記例では第１領域６１）内の画像のみを、他の候補画像における対応する領域の画像と置換して表示させるようにしてもよい。
【０１４５】
図１５および図１６は、変形例１による表示画面を例示する図である。変形例１において、表示制御部３５ｇは、ワークメモリ３４に上述した複数の候補画像が格納された場合に、図１５に示すように、液晶モニタ３６の表示面に基準条件の基準画像（基準画像６０−１とする）を表示させる。このとき、第１領域６１内の画像は、基準画像６１−１である。
ここで、撮像条件の設定（変更）の対象となる第１領域６１の輪郭が強調表示される点は、上記実施形態の場合と同様である。
【０１４６】
図１５において、第１領域６１の左側位置に左アイコン７３が表示されており、第１領域６１の右側位置に右アイコン７４が表示されている。例えば、図１５の表示画面上でユーザーが指８０で右アイコン７４をタップ操作した場合、表示制御部３５ｇは、図１６に例示するように、第１領域６１内の画像のみを候補画像６１−２に置換した合成画像を表示させる。第１領域６１以外の背景は、基準画像６０−１のままである。
【０１４７】
候補画像６１−２は、候補画像６１−１より輝度（または彩度）が一段階高い画像である。このように、表示制御部３５ｇは、ワークメモリ３４に一時的に格納された８つの候補画像の中から、右アイコン７４のタップ操作に応じて必要な候補画像６０−２を読み出し、読み出した候補画像６０−２のうちの第１領域６１内の候補画像６１−２のみを抽出し、図１６に例示した合成表示に用いる。
【０１４８】
図示を省略するが、例えば、図１６の表示画面上でユーザーが指８０で左アイコン７３をタップ操作した場合、表示制御部３５ｇは、図１５に例示するように、第１領域６１内の画像を基準画像６１−１に置換した合成画像を表示する。第１領域６１以外の背景は、基準画像６０−１のままである。
【０１４９】
変形例１によれば、ユーザーは、撮像条件の設定（変更）の対象となる第１領域６１について、候補画像を確認することができる。また、ユーザーは、左アイコン７３または右アイコン７４のタップ操作を行うことにより、第１領域６１内に他の候補画像を表示させて確認することができる。
【０１５０】
変形例１において、ユーザーが、任意の候補画像が表示されている状態で画面内のいずれかの位置を指８０でダブルタップ操作すると、制御部３５（撮像条件設定部３５ｄ）は、その時点で第１領域６１に表示されている候補画像６１−ｎ（ｎは１〜８の自然数）に適用されている撮像条件を、次に撮像指示が行われた場合に第１領域６１に対して適用する撮像条件として決定し、図７に例示した設定画面を液晶モニタ３６に表示する状態へ戻る。
【０１５１】
なお、ユーザーが、輝度に関する複数の候補画像のうち任意の候補画像を選択する操作をした後に、彩度に関する複数の候補画像のうち任意の候補画像を選択する操作をすることができる点、および、ユーザーが、彩度に関する複数の候補画像のうち任意の候補画像を選択する操作をした後に、輝度に関する複数の候補画像のうち任意の候補画像を選択する操作をすることができる点は、上述した実施形態と同様である。
【０１５２】
さらに、ユーザーが、第１領域６１以外の領域、すなわち設定部３５ｃによって付与された序列が２位以下の領域についても、輝度または彩度に関して撮像条件の設定（変更）を行うことができる点も、上述した実施形態と同様である。
【０１５３】
（変形例２）
図１７および図１８は、変形例２による表示画面を例示する図である。変形例２において、表示制御部３５ｇは、ワークメモリ３４に上述した複数の候補画像が格納された場合に、図１７に示すように、液晶モニタ３６の表示面の左側に基準条件の基準画像（基準画像６０−１とする）を表示させるとともに、表示面の右側に候補画像６０−２を表示させる。
ここで、撮像条件の設定（変更）の対象となる第１領域６１の輪郭が強調表示される点は、上記実施形態の場合と同様である。
【０１５４】
図１７において、右側の候補画像６０−２の上側位置に上アイコン７５が表示されており、候補画像６０−２の下側位置に下アイコン７６が表示されている。例えば、図１７の表示画面上でユーザーが指８０で下アイコン７６をタップ操作した場合、表示制御部３５ｇは、図１８に例示するように、右側の候補画像６０−２に代えて候補画像６０−３を表示させる。左側の基準画像６０−１の表示はそのままである。
【０１５５】
候補画像６０−３は、候補画像６０−２より輝度（または彩度）が一段階高い画像である。このように、表示制御部３５ｇは、ワークメモリ３４に一時的に格納された８つの候補画像の中から、下アイコン７６のタップ操作に応じて必要な候補画像６０−３を読み出し、図１８に例示した表示に用いる。
【０１５６】
図示を省略するが、例えば、図１８の表示画面上でユーザーが指８０で上アイコン７５をタップ操作した場合、表示制御部３５ｇは、図１７に例示するように、右側の候補画像６０−３に代えて候補画像６０−２を表示させる。左側の基準画像６０−１の表示はそのままである。
【０１５７】
変形例２によれば、ユーザーは、基準画像とともに候補画像を確認することができる。また、ユーザーは、上アイコン７５または下アイコン７６のタップ操作を行うことにより、液晶モニタ３６に表示されていない他の候補画像を表示させて確認することができる。
【０１５８】
変形例２において、ユーザーが、任意の候補画像が表示されている状態で画面内のいずれかの位置を指８０でダブルタップ操作すると、制御部３５（撮像条件設定部３５ｄ）は、その時点で表示面の右側に表示されている候補画像６０−ｎ（ｎは１〜８の自然数）に適用されている撮像条件を、次に撮像指示が行われた場合に第１領域６１に対して適用する撮像条件として決定し、図７に例示した設定画面を液晶モニタ３６に表示する状態へ戻る。
【０１５９】
なお、ユーザーが、輝度に関する複数の候補画像のうち任意の候補画像を選択する操作をした後に、彩度に関する複数の候補画像のうち任意の候補画像を選択する操作をすることができる点、および、ユーザーが、彩度に関する複数の候補画像のうち任意の候補画像を選択する操作をした後に、輝度に関する複数の候補画像のうち任意の候補画像を選択する操作をすることができる点は、上述した実施形態と同様である。
【０１６０】
さらに、ユーザーが、第１領域６１以外の領域、すなわち設定部３５ｃによって付与された序列が２位以下の領域についても、輝度または彩度に関して撮像条件の設定（変更）を行うことができる点も、上述した実施形態と同様である。
【０１６１】
（変形例３）
上述した実施形態では、基準条件の決定の一例として、「プログラムオート」モード、「シャッター速度優先オート」モード、「絞り優先オート」モード、および「マニュアル」モードのうち一つを選択し、選択した露出モードに応じた所定の露出演算を行うことによって適正露出を決定するとともに、標準的な画質となるようにあらかじめ用意された画像処理条件に決定し、決定したこれらの露出条件および画像処理条件を基準条件とする例を説明した。これに代えて、以下のように基準条件を決めてもよい。
【０１６２】
＜輝度に関して基準条件を決める例＞
変形例３では、カメラ１の撮像シーンモード設定や、物体検出部３５ａにより検出された被写体要素によって適正露出の決め方を変え、それを基準条件（露出条件）とする。例えば、カメラ１の撮像シーンモード設定がポートレートモードに設定されており、かつ、物体検出部３５ａにより被写体要素として人物が検出されている場合において、制御部３５は、人物を含む領域に対して人物の輝度が適正となるように露出条件を決定し、基準条件とする。
【０１６３】
例えば、カメラ１の撮像シーンモード設定が夜景ポートレートモードに設定されており、かつ、物体検出部３５ａにより被写体要素として人物が検出されている場合において、制御部３５は、人物を含む領域に対しては人物の輝度を明るくするとともに、背景である夜景を含む領域に対しては夜景の輝度を加味して適正となるように露出条件を決定し、基準条件とする。さらに、発光装置４０を発光させる場合には、人物および背景の双方の輝度のバランスをとるように適正露出を決定し、必要な発光装置４０の発光量を算出する。
【０１６４】
例えば、カメラ１の撮像シーンモード設定が風景モードに設定されており、かつ、撮影距離が所定距離より遠い（ほぼ無限遠）である場合において、制御部３５は、被写体要素の色成分（緑色画素Ｇｂ、Ｇｒ、青色画素Ｂ、赤色画素Ｒ）の比率と、被写体要素の輝度とに基づいて、被写体要素（例えば、山）を含む領域に対して山の輝度が適正となるように露出条件を決定し、基準条件とする。
【０１６５】
＜彩度に関して基準条件を決める例＞
変形例３では、カメラ１の撮像シーンモード設定や、物体検出部３５ａにより検出された被写体要素によって、標準的な画質とは別に用意された画像処理条件を基準条件（画像処理条件）とする。
【０１６６】
例えば、制御部３５は、領域区分け部３５ｂによって区分けされた領域において、緑色画素Ｇｂ、Ｇｒ、青色画素Ｂ、および赤色画素Ｒから読み出された信号のうち他の色成分に比べて突出している色成分を有する場合には、その領域に対して、画作りをしていない素の画像（フラット）を得る条件を決定し、このように決定した条件を基準条件とする。
【０１６７】
例えば、カメラ１の撮像シーンモード設定がクローズアップモードに設定されており、かつ、物体検出部３５ａにより被写体要素として赤い花が検出されている場合において、設定部３５ｃは、赤い花を含む領域に対して、露出を下げて赤成分の飽和を下げた条件を決定し、このように決定した条件を基準条件とする。
【０１６８】
（変形例４）
上述した説明では、カメラ１を例に説明したが、スマートフォンのようにカメラ機能を備えた高機能携帯電話機２５０や、タブレット端末などのモバイル機器によって構成してもよい。
【０１６９】
（変形例５）
上述した実施の形態では、撮像部３２と制御部３５とを単一の電子機器として構成したカメラ１を例に説明した。この代わりに、例えば、撮像部３２と制御部３５とを分離して設け、制御部３５から通信を介して撮像部３２を制御する撮像システム１Ｂを構成してもよい。
以下、撮像部３２を備えた撮像装置１００１を、制御部３５を備えた制御装置１００２から制御する例を説明する。
【０１７０】
図１９は、変形例５に係る撮像システム１Ｂの構成を例示するブロック図である。図１９において、撮像システム１Ｂは、撮像装置１００１と、表示装置１００２とによって構成される。撮像装置１００１は、上記実施の形態で説明した撮像光学系３１と撮像部３２とに加えて、第１通信部１００３を備える。また、表示装置１００２は、上記実施の形態で説明した画像処理部３３、ワークメモリ３４、制御部３５、液晶モニタ３６、操作部材３７、不揮発性メモリ３８、記録部３９、および発光装置４０に加えて、第２通信部１００４を備える。
【０１７１】
第１通信部１００３および第２通信部１００４は、例えば周知の無線通信技術や光通信技術等により、双方向のデータ通信を行うことができる。
なお、撮像装置１００１と表示装置１００２とを有線ケーブルにより有線接続し、第１通信部１００３および第２通信部１００４が双方向のデータ通信を行う構成にしてもよい。
【０１７２】
撮像システム１Ｂは、制御部３５が、第２通信部１００４および第１通信部１００３を介したデータ通信を行うことにより、撮像部３２に対する制御を行う。例えば、撮像装置１００１と表示装置１００２との間で所定の制御データを送受信することにより、表示装置１００２は、上述したように画像に基づいて、画面を複数の領域に区分けしたり、区分けされた領域に序列をつけたり、区分けした領域ごとに異なる撮像条件を設定したり、各々の領域で撮像された撮像信号を読み出したりする。
【０１７３】
変形例５によれば、撮像装置１００１側で取得され、表示装置１００２へ送信されたライブビュー画像が表示装置１００２の液晶モニタ３６に表示されるので、ユーザーは、撮像装置１００１から離れた位置にある表示装置１００２から、遠隔操作を行うことができる。
表示装置１００２は、例えば、スマートフォンのような高機能携帯電話機２５０によって構成することができる。また、撮像装置１００１は、上述した積層型撮像素子を備える電子機器によって構成することができる。
なお、表示装置１００２の制御部３５に物体検出部３５ａと、領域区分け部３５ｂと、設定部３５ｃと、撮像条件設定部３５ｄと、撮像制御部３５ｅと、ＡＦ演算部３５ｆと、表示制御部３５ｇとを設ける例を説明したが、物体検出部３５ａ、領域区分け部３５ｂ、設定部３５ｃ、撮像条件設定部３５ｄ、撮像制御部３５ｅ、ＡＦ演算部３５ｆ、および表示制御部３５ｇの一部について、撮像装置１００１に設けるようにしてもよい。
【０１７４】
（変形例６）
上述したカメラ１、高機能携帯電話機２５０、またはタブレット端末などのモバイル機器へのプログラムの供給は、例えば図２０に例示するように、プログラムを格納したパーソナルコンピュータ２０５から赤外線通信や近距離無線通信によってモバイル機器へ送信することができる。
【０１７５】
パーソナルコンピュータ２０５に対するプログラムの供給は、プログラムを格納したＣＤ−ＲＯＭなどの記録媒体２０４をパーソナルコンピュータ２０５にセットして行ってもよいし、ネットワークなどの通信回線２０１を経由する方法でパーソナルコンピュータ２０５へローディングしてもよい。通信回線２０１を経由する場合は、当該通信回線に接続されたサーバー２０２のストレージ装置２０３などにプログラムを格納しておく。
【０１７６】
また、通信回線２０１に接続された無線ＬＡＮのアクセスポイント（不図示）を経由して、モバイル機器へプログラムを直接送信することもできる。さらに、プログラムを格納したメモリカードなどの記録媒体２０４Ｂをモバイル機器にセットしてもよい。このように、プログラムは記録媒体や通信回線を介する提供など、種々の形態のコンピュータプログラム製品として供給できる。
【０１７７】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【０１７８】
１…カメラ
１Ｂ…撮像システム
３２…撮像部
３５…制御部
３５ａ…物体検出部
３５ｂ…領域区分け部
３５ｃ…設定部
３５ｄ…撮像条件設定部
３５ｅ…撮像制御部
３５ｇ…表示制御部
３６…液晶モニタ
４０…発光装置
１００…撮像素子
１００１…撮像装置
１００２…表示装置
【図１】
2020043582.tif 000003
【図２】
2020043582.tif 000004
【図３】
2020043582.tif 000005
【図４】
2020043582.tif 000006
【図５】
2020043582.tif 000007
【図６】
2020043582.tif 000008
【図７】
2020043582.tif 000009
【図８】
2020043582.tif 000010
【図９】
2020043582.tif 000011
【図１０】
2020043582.tif 000012
【図１１】
2020043582.tif 000013
【図１２】
2020043582.tif 000014
【図１３】
2020043582.tif 000015
【図１４】
2020043582.tif 000016
【図１５】
2020043582.tif 000017
【図１６】
2020043582.tif 000018
【図１７】
2020043582.tif 000019
【図１８】
2020043582.tif 000020
【図１９】
2020043582.tif 000021
【図２０】
2020043582.tif 000022